(57)【要約】【課題】  温度検知素子を１次側回路に設けつつ、定着ユニットの安全回路の信頼性を更に高めた安価な構成の画像形成装置を提供する。【解決手段】  ２次側制御部は、定着処理中、１次側制御部が検知した検知温度が目標温度を維持するように第２のスイッチを制御し、１次側制御部が検知した検知温度が所定の閾値温度に達した場合、１次側制御部が第１のスイッチを遮断状態にすることでヒータへの電力供給を停止する。【選択図】  図３
2020071331.tif 000002
【特許請求の範囲】
【請求項１】
記録材に画像を形成する画像形成部と、
ヒータと、温度検知素子と、を有し、記録材に形成された画像を前記ヒータの熱で記録材に定着する定着部と、
を有する画像形成装置において、
商用電源と電気的に繋がっている１次側回路に、前記ヒータと、前記温度検知素子と、前記温度検知素子の情報が入力する１次側制御部が設けられており、
前記１次側回路と電気的に絶縁されている２次側回路に２次側制御部が設けられており、
前記画像形成装置は更に、前記１次側制御部と前記２次側制御部の間の電気的な絶縁性を確保しつつ前記１次側制御部と前記２次側制御部との間で情報を通信する情報通信部と、
前記商用電源から前記ヒータへの電力供給路に設けられている第１のスイッチ及び第２のスイッチと、
を有し、
前記２次側制御部は、定着処理中、前記１次側制御部が検知した検知温度が目標温度を維持するように前記第２のスイッチを制御し、
前記１次側制御部が検知した検知温度が所定の閾値温度に達した場合、前記１次側制御部が前記第１のスイッチを遮断状態にすることで前記ヒータへの電力供給を停止することを特徴とする画像形成装置。
【請求項２】
前記第１のスイッチは前記１次側回路で生成された電源電圧によって動作することを特徴とする請求項１に記載の画像形成装置。
【請求項３】
前記１次側回路には、前記ヒータの異常昇温により自身が遮断状態となる保護素子が設けられており、
前記第１のスイッチを駆動するための電源電圧は、前記保護素子を介して前記第１のスイッチに印加されていることを特徴とする請求項２に記載の画像形成装置。
【請求項４】
前記装置は更に、前記１次側回路から前記２次側回路へ電圧を出力するスイッチング電源部を有し、
前記スイッチング電源部は、１次巻線と２次巻線と補助巻線を有する絶縁トランスと、前記１次巻線への電力供給を制御する第３のスイッチを有し、
前記１次側制御部は、前記第１のスイッチに加えて、前記第３のスイッチを制御しており、前記第１のスイッチを駆動するための電源電圧を、前記補助巻線から供給することで、前記第３のスイッチの制御が停止した場合、前記補助巻線から供給される前記第１のスイッチを駆動する電力の供給が停止することで、前記第１のスイッチをＯＦＦ状態にすることを特徴とする請求項１に記載の画像形成装置。
【請求項５】
記録材に画像を形成する画像形成部と、
ヒータと、温度検知素子と、を有し、記録材に形成された画像を前記ヒータの熱で記録材に定着する定着部と、
を有する画像形成装置において、
商用電源と電気的に繋がっている１次側回路に、前記ヒータと、前記温度検知素子と、前記温度検知素子の情報が入力する１次側制御部が設けられており、
前記１次側回路と電気的に絶縁されている２次側回路に２次側制御部が設けられており、
前記画像形成装置は更に、前記１次側制御部と前記２次側制御部の間の電気的な絶縁性を確保しつつ前記１次側制御部と前記２次側制御部との間で情報を通信する情報通信部と、
前記商用電源から前記ヒータへの電力供給路に設けられているスイッチと、
前記１次側回路に設けられている前記ヒータの保護回路と、
を有し、
前記１次側制御部は前記スイッチの制御を行っており、
前記１次側制御部が検知した検知温度が所定の閾値温度に達した場合、前記１次側制御部が前記ヒータへ電力供給する制御を行っていても、前記保護回路が前記検知温度に基づき前記スイッチを遮断状態にすることで前記ヒータへの電力供給を停止することを特徴とする画像形成装置。
【請求項６】
前記スイッチは前記１次側回路で生成された電源電圧によって動作することを特徴とする請求項５に記載の画像形成装置。
【請求項７】
前記１次側回路には、前記ヒータの異常昇温により自身が遮断状態となる保護素子が設けられており、
前記スイッチを駆動するための電源電圧は、前記保護素子を介して前記スイッチに印加されていることを特徴とする請求項６に記載の画像形成装置。
【発明の詳細な説明】
【技術分野】
【０００１】
本発明は、複写機やプリンタ等の電子写真記録方式の画像形成装置に関する。
【背景技術】
【０００２】
電子写真記録方式の画像形成装置には、トナー画像を記録材に定着させる定着ユニットが搭載されている。定着ユニットは、トナー画像を加熱処理する期間中、トナー画像を加熱するのに適した温度を保つように温度制御される。そのため、定着ユニットに搭載されている定着ローラ、定着フィルム、ヒータ等はサーミスタ等の温度検知素子で温度モニタされている。
【０００３】
ところで、ヒータが商用電源と電気的に繋がっている１次側回路に設けられており、温度検知素子が１次側回路と電気的に絶縁されている２次側回路に設けられている場合、ヒータと温度検知素子の間を絶縁する必要がある。そのため、両者間に絶縁のための手段を設ける必要がある。例えば、被温度検知物と温度検知素子の間に絶縁シートを設ける等の対策が必要である。しかしながら、この絶縁手段が両者間の熱抵抗となり、温度検知の応答性が低下する。
【０００４】
そこで、温度検知素子を１次側回路に設けることによって、１次側回路と２次側回路の絶縁を確保しつつ温度検知の応答性を向上させる技術が特許文献１に開示されている。この文献のものは、１次側回路に設けた温度検知素子としてのサーミスタの検知情報を、絶縁機能を有する情報通信部を介して２次側回路に設けた制御部に送信している。そして、２次側回路に設けた制御部がヒータに供給する電力の制御を行っている。
【０００５】
更に、１次側回路に温度検知素子の他に制御部を設け、この制御部が１次側回路に設けたサーミスタの情報を受け取り温度検知する技術が特許文献２に開示されている。この文献には、１次側回路に設けた制御部がヒータに供給する電力の制御を行うことも開示されている。１次側回路がヒータに供給する電力の制御部を有しているため、絶縁機能を有する情報通信部が故障しても、ヒータの温度制御を継続することができ、装置の安全性、信頼性を高めることができる。
【先行技術文献】
【特許文献】
【０００６】
【特許文献１】特許第４０５４４３８号
【特許文献２】特許第６３０８７７１号
【発明の概要】
【発明が解決しようとする課題】
【０００７】
温度検知素子を１次側回路に設けつつ、定着ユニットの安全回路の信頼性を更に高めた安価な構成の画像形成装置が求められている。
【０００８】
本発明は、温度検知素子を１次側回路に設けつつ、定着ユニットの安全回路の信頼性を更に高めた安価な構成の画像形成装置を提供することを目的とする。
【課題を解決するための手段】
【０００９】
上述の課題を解決するための本発明は、記録材に画像を形成する画像形成部と、ヒータと、温度検知素子と、を有し、記録材に形成された画像を前記ヒータの熱で記録材に定着する定着部と、を有する画像形成装置において、商用電源と電気的に繋がっている１次側回路に、前記ヒータと、前記温度検知素子と、前記温度検知素子の情報が入力する１次側制御部が設けられており、前記１次側回路と電気的に絶縁されている２次側回路に２次側制御部が設けられており、前記画像形成装置は更に、前記１次側制御部と前記２次側制御部の間の電気的な絶縁性を確保しつつ前記１次側制御部と前記２次側制御部との間で情報を通信する情報通信部と、前記商用電源から前記ヒータへの電力供給路に設けられている第１のスイッチ及び第２のスイッチと、を有し、前記２次側制御部は、定着処理中、前記１次側制御部が検知した検知温度が目標温度を維持するように前記第２のスイッチを制御し、前記１次側制御部が検知した検知温度が所定の閾値温度に達した場合、前記１次側制御部が前記第１のスイッチを遮断状態にすることで前記ヒータへの電力供給を停止することを特徴とする。
【００１０】
また、本発明は、記録材に画像を形成する画像形成部と、ヒータと、温度検知素子と、を有し、記録材に形成された画像を前記ヒータの熱で記録材に定着する定着部と、を有する画像形成装置において、商用電源と電気的に繋がっている１次側回路に、前記ヒータと、前記温度検知素子と、前記温度検知素子の情報が入力する１次側制御部が設けられており、前記１次側回路と電気的に絶縁されている２次側回路に２次側制御部が設けられており、前記画像形成装置は更に、前記１次側制御部と前記２次側制御部の間の電気的な絶縁性を確保しつつ前記１次側制御部と前記２次側制御部との間で情報を通信する情報通信部と、前記商用電源から前記ヒータへの電力供給路に設けられているスイッチと、前記１次側回路に設けられている前記ヒータの保護回路と、を有し、前記１次側制御部は前記スイッチの制御を行っており、前記１次側制御部が検知した検知温度が所定の閾値温度に達した場合、前記１次側制御部が前記ヒータへ電力供給する制御を行っていても、前記保護回路が前記検知温度に基づき前記スイッチを遮断状態にすることで前記ヒータへの電力供給を停止することを特徴とする。
【発明の効果】
【００１１】
本発明によれば、温度検知素子を１次側回路に設けつつ、定着ユニットの安全回路の信頼性を更に高めた安価な構成の画像形成装置を提供できる。
【図面の簡単な説明】
【００１２】
【図１】画像形成装置の断面図
【図２】定着ユニットの断面図
【図３】実施例１の画像形成装置の電源装置
【図４】実施例１の電源装置の動作のフローチャート
【図５】実施例２の画像形成装置の電源装置
【図６】実施例２の電源装置の動作のフローチャート
【図７】実施例３の画像形成装置の電源装置
【図８】実施例３の電源装置の動作のフローチャート
【図９】実施例４の画像形成装置の電源装置
【図１０】実施例５の画像形成装置の電源装置
【図１１】実施例５の電源装置の動作のフローチャート
【発明を実施するための形態】
【００１３】
図１は電子写真記録技術を用いたレーザプリンタ（画像形成装置）１の断面図である。プリント信号が発生すると、画像情報に応じて変調されたレーザ光をスキャナユニット２１が出射し、帯電ローラ１６によって所定の極性に帯電された感光体１９を走査する。これにより感光体１９には静電潜像が形成される。この静電潜像に対して現像器１７からトナーが供給され、感光体１９上に画像情報に応じたトナー画像が形成される。一方、給紙カセット１１に積載された記録材（記録紙）Ｐはピックアップローラ１２によって一枚ずつ給紙され、ローラ１３によってレジストローラ１４に向けて搬送される。さらに記録材Ｐは、感光体１９上のトナー画像が感光体１９と転写ローラ２０で形成される転写位置に到達するタイミングに合わせて、レジストローラ１４から転写位置へ搬送される。記録材Ｐが転写位置を通過する過程で感光体１９上のトナー画像は記録材Ｐに転写される。その後、記録材Ｐは定着ユニット５０で加熱されてトナー画像が記録材Ｐに加熱定着される。定着済みのトナー画像を担持する記録材Ｐは、ローラ２６、２７によってレーザプリンタ１の上部のトレイ２８に排出される。なお、１８は感光体１９を清掃するクリーナである。３０は定着ユニット５０やローラ１３等を駆動するモータである。後述する定着ユニット５０は、商用の交流電源１０に接続された電源装置１００から電力供給されている。上述した、感光体１９、帯電ローラ１６、スキャナユニット２１、現像器１７、転写ローラ２０が、記録材Ｐに未定着画像を形成する画像形成部を構成している。
【００１４】
図２は定着ユニット（定着部）５０の断面図である。定着ユニット５０は、筒状のフィルム５２と、フィルム５２の内面に接触するヒータＲＨ１と、フィルム５２を介してヒータＲＨ１と共に定着ニップ部Ｎを形成する加圧ローラ（ニップ部形成部材）５８と、を有する。フィルム５２のベース層の材質は、ポリイミド等の耐熱樹脂、またはステンレス等の金属である。また、フィルム５２にはシリコーンゴム等の弾性層を設けても良い。加圧ローラ５８は、材質が鉄やアルミニウム等の芯金５９と、材質がシリコーンゴム等の弾性層５５を有する。ヒータＲＨ１は耐熱樹脂製の保持部材５１に保持されている。保持部材５１はフィルム５２の回転を案内するガイド機能も有している。加圧ローラ５８はモータ３０から動力を受けて矢印方向に回転する。加圧ローラ５８が回転することによって、フィルム５２が従動して回転する。未定着トナー画像を担持する記録材Ｐは、定着ニップ部Ｎで挟持搬送されつつ加熱されて定着処理される。番号５４は保持部材５１を補強する金属製のステーである。定着ニップ部Ｎを形成するためのバネ（不図示）の圧力は、ステー５４を介して掛けられている。
【００１５】
ヒータＲＨ１は、セラミック製の基板７１と、基板７１に設けられた発熱抵抗体７３と、発熱抵抗体７３を覆う表面保護層７２を有する。表面保護層７２の材質はガラスであり、発熱抵抗体７３の絶縁性を確保している。ヒータＲＨ１の裏面側には、温度検知素子としてのサーミスタＴＨ１（及びサーミスタＴＨ２）が当接している。ヒータＲＨ１の裏面側には、ヒータＲＨ１の異常発熱により作動してヒータＲＨ１に供給する電力を遮断するサーモスイッチや温度ヒューズ等の保護素子ＦＵ１も当接している。保護素子ＦＵ１は、ヒータＲＨ１の異常昇温により自身が遮断状態となる素子である。定着ユニット５０は、記録材に形成された未定着画像をヒータの熱で記録材に定着するユニットである。
【００１６】
（実施例１）
図３は定着ユニット５０に電力を供給する実施例１の画像形成装置１の電源装置１００を示している。商用電源等の交流電源１０は交流電圧を出力しており、交流電源１０からヒータＲＨ１に供給される電力は、商用電源からヒータＲＨ１への電力供給路に設けられているトライアックＴＲ１（第２のスイッチ）のＯＮ／ＯＦＦによって制御されている。リレーＲＬ１（第１のスイッチ）は、ヒータＲＨ１が異常高温状態となった時にヒータＲＨ１への電力供給を遮断するスイッチであり、１次側回路の商用電源からヒータＲＨ１への電力供給路に設けられている。
【００１７】
商用電源と電気的に繋がっている１次側回路には、ヒータＲＨ１と、サーミスタＴＨ１と、サーミスタＴＨ１の情報が入力するＣＰＵ１０１と、が設けられている。１次側制御部としてのＣＰＵ１０１は、リレーＲＬ１の制御を行っている。即ち、ＣＰＵ１０１は、サーミスタＴＨ１からの情報に基づいた検知温度が所定の異常高温（閾値温度）に達した場合、リレーＲＬ１をＯＦＦ状態にする。即ち、ＣＰＵ１０１が検知した検知温度が所定の閾値温度に達した場合、ＣＰＵ１０１がリレーＲＬ１を遮断状態にすることでヒータＲＨ１への電力供給を停止する。
【００１８】
１次側回路と電気的に絶縁されている２次側回路に設けられた２次側制御部としてのＣＰＵ１０２は、トライアックＴＲ１の制御を行っている。１次側制御部と２次側制御部は、いずれも演算機能を有する部分である。１次側制御部と２次側制御部として、ＣＰＵの代わりに、ＡＳＩＣ、ＦＰＧＡ、マイクロコンピュータ等の演算制御部を用いることができる。
【００１９】
１次側制御部と２次側制御部との間では、情報通信部１０４ａによって、１次側制御部と２次側制御部の間の電気的な絶縁性を確保しつつ情報の通信が行われている。情報通信部１０４ａは強化絶縁の機能を有している。電源装置１００の制御の詳細については、図４で説明する。なお、電気的な絶縁に関し、基礎絶縁とは、感電に対する基礎的な保護を行うために施した絶縁のことである。また、２重絶縁とは、基礎絶縁が故障した場合の保護を行う付加絶縁を、基礎絶縁に対して更に施したものである。強化絶縁とは、単一の絶縁で感電に対して２重絶縁と同程度の保護を施したものである。なお、本実施例では、強化絶縁と２重絶縁を総称して強化絶縁と表現する。
【００２０】
ＣＰＵ１０１の端子ＡＤ１には、電圧Ｖ１を抵抗Ｒ１とサーミスタＴＨ１で分圧した電圧Ｖｔｈ１が入力している。ＣＰＵ１０１は電圧Ｖｔｈ１（サーミスタＴＨ１からの情報）に基づいてヒータＲＨ１の温度を検知する。なお、サーミスタＴＨ１は温度が上がると抵抗値が下がるＮＴＣ（Ｎｅｇａｔｉｖｅ  Ｔｅｍｐｅｒａｔｕｒｅ  Ｃｏｅｆｆｉｃｉｅｎｔ）特性を有する。
【００２１】
ＣＰＵ１０１の端子Ｄ１の出力電圧はＦＥＴ１の制御に用いられている。ＦＥＴ１がＯＮ状態になると、リレーＲＬ１のコイルに電流が流れ、リレーＲＬ１の接点部がＯＮ状態となり、ヒータＲＨ１に電力供給が可能な状態になる。一方、ＦＥＴ１がＯＦＦ状態になると、リレーＲＬ１のコイルに流れる電流が遮断され、リレーＲＬ１の接点部がＯＦＦ態となり、ヒータＲＨ１に電力供給ができない状態になる。
【００２２】
リレーＲＬ１には保護素子ＦＵ１を介して電圧（電源電圧）Ｖ１が印加されている。電圧Ｖ１は１次側回路で生成された電源電圧である。ヒータＲＨ１の異常昇温によって保護素子ＦＵ１が遮断状態になった場合、リレーＲＬ１がＯＦＦ状態になり、ヒータＲＨ１への電力供給が遮断される。なお、本実施例１の構成では、リレーＲＬ１のコイルに流れる電流は微小な電流のため、保護素子ＦＵ１をヒータＲＨ１に流れる電流経路に設けて、保護素子ＦＵ１が直接ヒータＲＨ１への電流を遮断する場合と比べて、電流定格の低い保護素子ＦＵ１を用いることができる。
【００２３】
ブリッジダイオードＢＤ１とコンデンサＣ１で構成された整流平滑回路は、交流電源１０の出力を整流平滑する。コンデンサＣ１には電圧Ｖｉｎが充電される。
【００２４】
レギュレータ１０７は３端子レギュレータ、若しくは、降圧型スイッチング電源である。レギュレータ１０７の端子ＶＣと端子Ｇ間に入力された電圧Ｖｉｎに応じて、端子ＯＵＴから電圧Ｖ１（１次側回路で生成された電源電圧）を出力している。
【００２５】
情報通信部１０４ａは、ＣＰＵ１０１とＣＰＵ１０２の通信手段である。ＣＰＵ１０１の端子Ｄｏｕｔから出力される信号に基づき、ＦＥＴ４ａが動作し、フォトカプラＰＣ４ａの１次側の発光ダイオードへのＯＮ／ＯＦＦ状態が制御される。抵抗Ｒ４２ａはプルアップ抵抗である。
【００２６】
ＣＰＵ１０１の信号ＤｏｕｔがＨｉｇｈ状態になると、フォトカプラＰＣ４ａの１次側の発光ダイオードがＯＮし、２次側のフォトトランジスタがＯＮ状態となる。これにより、ＣＰＵ１０２の端子ＤｉｎはＬｏｗ状態となる。ＣＰＵ１０１の信号ＤｏｕｔがＬｏｗ状態になると、フォトカプラＰＣ４ａの１次側の発光ダイオードがＯＦＦし、２次側のフォトトランジスタがＯＦＦ状態となる。これにより、ＣＰＵ１０２の端子ＤｉｎはＨｉｇｈ状態となる。抵抗Ｒ４１ａはプルアップ抵抗である。なお、ＣＰＵ１０１と、ＣＰＵ１０２間の通信方法は、信号のＨＩＧＨ／ＬＯＷパルスを使ったデジタル通信、信号のＤｕｔｙ、信号の周波数などを用いることができる。
【００２７】
ＣＰＵ１０２は、定着処理中、ＣＰＵ１０１から受信したヒータＲＨ１の温度情報（検知温度）に基づき、ヒータＲＨ１の温度がトナー画像の定着に適した所定の目標温度を維持するように、トライアックＴＲ１を制御している。ＣＰＵ１０２の端子Ｄ１からの出力によってＦＥＴ２の制御を行っている。ＦＥＴ２のＯＮ／ＯＦＦ状態によって、フォトトライアックカプラＳＳＲ１の２次側の発光ダイオードの電流を制御している。抵抗Ｒ３はプルアップ抵抗である。ＣＰＵ１０２の端子Ｄ１の出力がＨｉｇｈ状態になると、フォトトライアックカプラＳＳＲ１の２次側の発光ダイオードがＯＮし、１次側のフォトトライアックがＯＮ状態となる。これによりトライアックＴＲ１はＯＮ状態となる。ＣＰＵ１０２の端子Ｄ１の出力がＬＯＷ状態になると、フォトトライアックカプラＳＳＲ１の２次側の発光ダイオードがＯＦＦし、１次側のフォトトライアックがＯＦＦ状態となる。これによりトライアックＴＲ１はＯＦＦ状態となる。抵抗Ｒ５と抵抗Ｒ４はトライアックＴＲ１を駆動するために用いる抵抗である。電圧Ｖ２は２次側回路で生成された電源電圧である。
【００２８】
次に、ＣＰＵ１０２を電源装置１００の２次側に配置する理由について下記に説明する。ＣＰＵ１０２は、図１で説明した画像形成装置１の制御を行っている。また、画像形成装置１は、不図示のＰＣやネットワーク機器等の外部装置と、ＵＳＢやＬＡＮなどの通信ケーブルによって有線接続される。１次側（１次側回路）と２次側（２次側回路）の間は絶縁する必要があるが、ＣＰＵ１０２を２次側に配置すると、ＣＰＵ１０２に接続された、モータ３０、不図示のアクチュエータやセンサと、画像形成装置１のフレームグラウンド間の基礎絶縁が不要になる。また、不図示の外部機器とＣＰＵ１０２を、絶縁回路を介さずに有線接続することができる。このような理由で、ＣＰＵ１０２を電源装置１００の２次側に配置している。
【００２９】
図４はＣＰＵ１０１及びＣＰＵ１０２による、実施例１の電源装置１００の制御シーケンスを説明するフローチャートである。電源装置１００が交流電源１０に接続され、交流電圧が電源装置１００に供給される状態になると制御を開始する。
【００３０】
Ｓ１０において、ＣＰＵ１０１は、リレーＲＬ１をＯＮ状態にし、ヒータＲＨ１に電力供給できる状態にする。
【００３１】
Ｓ１１において、ＣＰＵ１０１は、情報通信部１０４ａを用いて、ＣＰＵ１０２にサーミスタＴＨ１の温度情報を送信する。ＣＰＵ１０１は、ヒータＲＨ１の温度制御を終了するまで、ＣＰＵ１０２にサーミスタＴＨ１の温度情報を繰り返し送信する状態を継続する。
【００３２】
Ｓ１２において、ＣＰＵ１０２は、ヒータＲＨ１に対する温度制御、の開始の要求があるか判断する。ヒータＲＨ１に対する温度制御を開始する場合Ｓ１３に進み、温度制御開始の要求がない場合はＳ１２の処理を繰り返し行う。
【００３３】
Ｓ１３において、ＣＰＵ１０２は、サーミスタＴＨ１の温度情報に基づき、ヒータＲＨ１の温度が所定の目標温度になるように、トライアックＴＲ１のＯＮ／ＯＦＦ状態を制御する。尚、ＣＰＵ１０２は、不図示のゼロクロス検知回路を用いることで、交流電源１０のゼロクロスタイミングに基づき、トライアックＴＲ１を制御できる。
【００３４】
Ｓ１４において、ＣＰＵ１０２は、ヒータＲＨ１の温度制御の要求が終了したかを判断する。ヒータＲＨ１の温度制御を継続する場合Ｓ１６に進む。ヒータＲＨ１の温度制御を終了する場合、Ｓ１５に進み、ＣＰＵ１０２はトライアックＴＲ１をＯＦＦ状態にし、ヒータＲＨ１の温度制御を終了し、Ｓ１２に戻る。
【００３５】
Ｓ１６において、ＣＰＵ１０１は、サーミスタＴＨ１の温度が所定の異常高温である閾温度を上回っていないかを判断する。ＣＰＵ１０１は、サーミスタＴＨ１の電圧Ｖｔｈ１が所定の電圧Ｖｒｅｆを下回った場合（即ち、検知温度が閾温度を上回った場合）、ヒータＲＨ１が異常高温状態であると判断し、Ｓ１７に進む。サーミスタＴＨ１の電圧Ｖｔｈ１が所定の電圧Ｖｒｅｆ以上だった場合には、Ｓ１３に戻り、ヒータＲＨ１の温度制御を継続する。
【００３６】
Ｓ１７において、ＣＰＵ１０１はリレーＲＬ１をＯＦＦ状態にし、ヒータＲＨ１への電力供給を遮断して制御を停止する。
【００３７】
以上のように、ＣＰＵ１０１及びＣＰＵ１０２は電源装置１００を制御している。
【００３８】
ところで、本実施例では、リレーＲＬ１の制御を１次側制御部であるＣＰＵ１０１で行う構成であるため、定着ユニット５０のヒータＲＨ１、サーミスタＴＨ１、保護素子ＦＵ１を全て１次側（１次側回路）に配置できる。そのため、ヒータＲＨ１、サーミスタＴＨ１、保護素子ＦＵ１の部品間の絶縁部材を省くことができる。また、部品間の距離を短くできる。ヒータＲＨ１、サーミスタＴＨ１、保護素子ＦＵ１を接続するケーブル間にも基礎絶縁や強化絶縁の機能を持たせる必要がなくなるため、安価なケーブルを用いることができる。このように、本実施例の電源装置１００を用いることで、定着ユニット５０の小型化や、コストの抑制が期待できる。
【００３９】
また、本実施例の電源装置１００では、１次側制御部であるＣＰＵ１０１がサーミスタＴＨ１の温度情報をＣＰＵ１０２に伝達する機能に加えて、リレーＲＬ１を駆動する信号を出す機能も有している。このため、回路構成をシンプルにできる。また、サーミスタＴＨ１、ＣＰＵ１０１、リレーＲＬ１の制御部が全て１次側にあるため、ＣＰＵ１０１とリレーＲＬ１の制御部の間に絶縁回路を設ける必要がなく、電源装置１００のコストを下げられる。
【００４０】
また、実施例１の電源装置１００では、ＣＰＵ１０１が、情報通信部１０４ａのような通信回路を介さずに、リレーＲＬ１を直接制御できるため、ヒータＲＨ１の異常高温時の保護動作の信頼性が高く、応答速度も速くできる。
【００４１】
また、実施例１の電源装置１００では、画像形成装置１の全体の制御も行っている、高い演算能力を持ったＣＰＵ１０２がヒータＲＨ１の温度制御を行っている。このため、ＣＰＵ１０１は、サーミスタＴＨ１の温度検知とリレーＲＬ１の制御のみを行えばよく、比較的に演算能力が小さい安価な演算制御部を用いることができる。
【００４２】
以上説明したように、２次側制御部（ＣＰＵ１０２）は、定着処理中、１次側制御部（ＣＰＵ１０１）が検知した検知温度が目標温度を維持するように第２のスイッチ（トライアックＴＲ１）を制御する。また、１次側制御部（ＣＰＵ１０１）が検知した検知温度が所定の閾値温度に達した場合、１次側制御部（ＣＰＵ１０１）が第１のスイッチ（リレーＲＬ１）を遮断状態にすることでヒータＲＨ１への電力供給を停止する。このため、安価な構成で、１次側のサーミスタＴＨ１の温度検知と、ヒータＲＨ１の保護と、を行うことができる。
【００４３】
（実施例２）
図５は実施例２の電源装置２００を示している。電源装置２００は、実施例１の電源装置１００に対して、ＣＰＵ１０１がリレーＲＬ１の代わりにトライアックＴＲ１を制御する点で異なっている。更に、ＣＰＵ１０２からＣＰＵ１０１へ情報の送信を行う情報通信部１０４ｂを用いる点、１次側に保護回路１０５ａを有する点、で異なっている。尚、実施例１と同様の構成については、同一の符号を用いて説明を省略する。
【００４４】
電源装置２００の概要を説明する。電源装置２００は、ＣＰＵ１０２からＣＰＵ１０１へヒータＲＨ１の目標温度の情報を送信する装置である。ＣＰＵ１０１は、ヒータＲＨ１の目標温度情報と、サーミスタＴＨ１の温度情報と、に基づきトライアックＴＲ１を制御し、ヒータＲＨ１の温度制御を行う。電源装置２００の制御の詳細については、図６で説明する。
【００４５】
保護回路１０５ａは、ＣＰＵ１０１が故障した場合を考慮して設けられている、ヒータＲＨ１を保護する回路である。ＩＣ２３ａはコンパレータであり、非反転入力端子にはサーミスタＴＨ１のＶｔｈ１信号が入力しており、反転入力端子には抵抗Ｒ２２ａとＲ２１ａの分圧による基準電圧Ｖｒｅｆが入力している。サーミスタＴＨ１の温度が上昇し、Ｖｔｈ１がＶｒｅｆの電圧値より低下すると保護回路１０５ａが動作し、コンパレータＩＣ２３ａがＬｏｗ出力状態になり、ＦＥＴ１がＯＦＦ状態になる。Ｒ２はダンピング抵抗である。保護回路１０５ａが動作すると、ＣＰＵ１０１の端子Ｄ１の出力状態に関わらず、ＦＥＴ１をＯＦＦ状態で保持できる。
【００４６】
情報通信部１０４ｂは、情報通信部１０４ａと同様の絶縁機能を有する通信回路である。しかしながら、図３で説明した情報通信部１０４ａに対して、ＣＰＵ１０２から、ＣＰＵ１０１へ情報を送信する点が異なる。情報通信部１０４ａと同じく、情報通信部１０４ｂにおける、ＣＰＵ１０１と、ＣＰＵ１０２間の通信方法は、信号のＨＩＧＨ／ＬＯＷパルスを使ったデジタル通信、信号のＤｕｔｙ、信号の周波数などを用いることができる。
【００４７】
図６はＣＰＵ１０１及びＣＰＵ１０２による判断、更には保護回路１０５ａの動作を加えた、実施例２の電源装置２００の動きを説明するためのフローチャートである。なお、図６では保護回路１０５ａの動作をＳ１４の次に行われる動作のように示しているが、保護回路１０５ａはＣＰＵ１０１や１０２から出力される信号に拘らず動作する回路であり、実際には、後述するＳ２５やＳ２６の動作を常に行っている。
【００４８】
Ｓ２１において、ＣＰＵ１０２は、情報通信部１０４ｂを用いて、ＣＰＵ１０１にヒータＲＨ１の目標温度情報の送信を開始する。ＣＰＵ１０２は、ヒータＲＨ１の温度制御を終了するまで、ＣＰＵ１０１にヒータＲＨ１の目標温度情報を繰り返し送信する状態を継続する。
【００４９】
Ｓ２２において、ＣＰＵ１０１は、ヒータＲＨ１の目標温度情報と、サーミスタＴＨ１の温度情報に基づき、ヒータＲＨ１の温度が所定の目標温度になるように、トライアックＴＲ１のＯＮ／ＯＦＦ状態を制御する。尚、ＣＰＵ１０２は、不図示のゼロクロス検知回路を用いることで、交流電源１０のゼロクロスタイミングに基づき、トライアックＴＲ１を制御できる。
【００５０】
Ｓ１４において、温度制御が終了した場合、Ｓ２３において、ＣＰＵ１０２は、ヒータＲＨ１の目標温度情報の送信を停止する。Ｓ２４において、ＣＰＵ１０１はヒータＲＨ１の目標温度情報の送信が停止されたことを検知し、トライアックＴＲ１をＯＦＦ状態にし、ヒータＲＨ１の温度制御を終了する。
【００５１】
Ｓ１４において、温度制御が継続する場合、Ｓ２５における保護回路１０５ａの比較（Ｖｒｅｆ＞Ｖｔｈ１）がＹＥＳならば、Ｓ２６の動作を行い、ＮＯならばＳ２２に戻り、ヒータＲＨ１の温度制御を継続する。
【００５２】
Ｓ２６に移行すると、保護回路１０５ａによるトライアックＴＲ１をＯＦＦする動作が行われ、ヒータＲＨ１の温度制御が停止される。なお、Ｓ２６では、ＣＰＵ１０１の制御によって、トライアックＴＲ１をＯＦＦする制御を、保護回路１０５ａによる動作と同時に実行しても良い。
【００５３】
ところで、電源装置２００では、サーミスタＴＨ１と、トライアックＴＲ１の制御部、保護回路１０５ａを全て１次側に配置することができるため、保護回路１０５ａとトライアックＴＲ１の制御部の間に絶縁回路などを設ける必要がない。保護回路１０５ａが直接トライアックＴＲ１を制御することができる。よって、保護回路１０５ａを設ける場合の、電源装置２００のコストを抑制できる。尚、保護回路１０５ａは、実施例１で説明した電源装置１００にも同様に設けることができる。
【００５４】
以上説明したように、実施例２の電源装置２００は、ＣＰＵ１０２からＣＰＵ１０１へヒータＲＨ１の目標温度情報を送信し、ＣＰＵ１０１がヒータＲＨ１の温度制御を行う。これにより、安価な構成で、１次側のサーミスタの温度検知と、ヒータＲＨ１の保護を行うことができる。
【００５５】
なお、実施例２の画像形成装置１は、１次側制御部（ＣＰＵ１０１）がスイッチ（トライアックＴＲ１）の制御を行っている。また、１次側制御部が検知した検知温度が所定の閾値温度に達した場合、１次側制御部がヒータＲＨ１へ電力供給する制御を行っていても、保護回路１０５ａが検知温度に基づきスイッチ（トライアックＴＲ１）を遮断状態にする。これによりヒータＲＨ１への電力供給を停止する。
【００５６】
（実施例３）
図７は実施例３の電源装置３００を示している。電源装置３００は、実施例２の電源装置２００に対して、１次側制御部であるＣＰＵ１０１が、トライアックＴＲ１に加えてリレーＲＬ１の制御を行う点で異なっている。更に、複数の１次側サーミスタＴＨ１、ＴＨ２を有する定着ユニット５０に対応している点、ラッチ回路１０８、保護回路１０５ｂを有する点、で異なっている。尚、実施例２と同様の構成については、同一の符号を用いて説明を省略する。
【００５７】
ＣＰＵ１０１の端子ＡＤ２には、電圧Ｖ１を抵抗Ｒ６とサーミスタＴＨ２で分圧した電圧Ｖｔｈ２が入力している。ＣＰＵ１０１は電圧Ｖｔｈ２に基づいてヒータＲＨ１の温度を検知する。なお、サーミスタＴＨ２もサーミスタＴＨ１同様、ＮＴＣ特性を有する。
【００５８】
保護回路１０５ｂも保護回路１０５ａと同様、ＣＰＵ１０１が故障した場合を考慮して設けられている、ヒータＲＨ１を保護する回路である。保護回路１０５ａと同様の回路であるため、保護回路１０５ｂの説明は省略する。サーミスタＴＨ２の温度が上昇し、Ｖｔｈ２がＶｒｅｆの電圧値より低下すると保護回路１０５ｂが動作し、コンパレータＩＣ２３ｂがＬｏｗ出力状態になり、ＦＥＴ７がＯＦＦ状態になる。Ｒ７はダンピング抵抗である。保護回路１０５ｂが動作すると、ＣＰＵ１０１の端子Ｄ２の出力状態に関わらず、ＦＥＴ７をＯＦＦ状態で保持できる。
【００５９】
ラッチ回路１０８は、保護回路１０５ｂが動作した時、リレーＲＬ１をＯＦＦ状態のまま保持するための回路である。コンパレータＩＣ２３ｂの出力がＬＯＷ状態になると、トランジスタＱ８１がＯＮ状態となる。抵抗Ｒ８３、抵抗Ｒ８４、コンデンサＣ８１によって、トランジスタＱ８１の応答速度を決定している。トランジスタＱ８１がＯＮ状態になると、抵抗Ｒ８１、抵抗Ｒ８２を介して、トランジスタＱ８２がＯＮ状態となる。一旦トランジスタＱ８２がＯＮ状態になると、コンパレータＩＣ２３ｂの出力状態に関わらず、ＦＥＴ７をＯＦＦ状態で保持できる。ダイオードＤ１は、逆流防止用のダイオードである。
【００６０】
図８はＣＰＵ１０１及びＣＰＵ１０２による判断、更には保護回路１０５ａ、１０５ｂの動作を加えた、実施例３の電源装置３００の動きを説明するためのフローチャートである。なお、図８では保護回路１０５ａ、１０５ｂの動作をＳ１４の次に行われる動作のように示している。しかしながら、保護回路１０５ａ、１０５ｂはＣＰＵ１０１や１０２から出力される信号に拘らず動作する回路であり、実際には、後述するＳ２５、Ｓ２６、Ｓ３２〜Ｓ３４の動作を常に行っている。
【００６１】
Ｓ１４において、温度制御が継続する場合、Ｓ２５における保護回路１０５ａの比較（Ｖｒｅｆ＞Ｖｔｈ１）がＹＥＳならば、Ｓ２６の動作を行い、ＮＯならばＳ３２に移行する。
【００６２】
Ｓ３２において、保護回路１０５ｂの比較（Ｖｒｅｆ＞Ｖｔｈ２）がＹＥＳならば、Ｓ３３の動作を行い、ＮＯならばＳ２に戻り、ヒータＲＨ１の温度制御を継続する。
【００６３】
Ｓ３３に移行すると、保護回路１０５ｂによるリレーＲＬ１をＯＦＦする動作が行われ、ヒータＲＨ１の温度制御が停止される。
【００６４】
Ｓ３４において、ラッチ回路１０８は、リレーＲＬ１をＯＦＦ状態のまま保持する。
【００６５】
ところで、電源装置３００のように、複数の１次側サーミスタＴＨ１、ＴＨ２を設ける構成や、複数の１次側スイッチ（トライアックＴＲ１、リレーＲＬ１）を有する構成においても、ＣＰＵ１０１、サーミスタＴＨ１、ＴＨ２、トライアックＴＲ１、リレーＲＬ１、保護回路１０５ａ、保護回路１０５ｂを全て１次側に配置する。これにより、それぞれの回路の間に絶縁回路などを設ける必要がない。そのため、実施例１の電源装置１００と同様に、定着ユニット５０の小型化、定着ユニット５０のコストの抑制、電源装置３００のコストの抑制、ヒータＲＨ１の保護動作の信頼性の向上及び応答性の改善効果が期待できる。
【００６６】
（実施例４）
図９は実施例４の電源装置４００を示している。電源装置４００は、実施例１の電源装置１００に対して、１次側制御部のＣＰＵ１０１が、スイッチング電源部１３２の制御部を兼ねる点で異なっている。尚、実施例１と同様の構成については、同一の符号を用いて説明を省略する。
【００６７】
スイッチング電源部１３２は、１次側の入力電圧Ｖｉｎから、２次側に出力電圧Ｖ４を出力する、絶縁トランスＴ１を用いたフライバック方式のスイッチング電源である。なお、スイッチング電源の方式は他の方式であっても構わない。
【００６８】
スイッチング電源部１３２は、１次側に１次巻線Ｐ１、補助巻線Ｐ２、２次側に２次巻線Ｓ１を備えた絶縁型のトランスＴ１を有している。トランスＴ１の１次巻線Ｐ１には、ＦＥＴ３のスイッチング動作によってエネルギーを供給している。トランスＴ１の補助巻線Ｐ２は、１次巻線Ｐ１に印加された電圧Ｖｉｎのフォワード電圧をダイオードＤ３及びコンデンサＣ３で整流平滑し、電源電圧Ｖ３を供給する。
【００６９】
トランスＴ１の１次巻線Ｐ１に並列に接続された、サージ吸収回路１１２は、ＦＥＴ３のＯＦＦ時に生じる、１巻線Ｐ１のサージ電圧を吸収するための回路である。トランスＴ１の２次巻線Ｓ１に生じる電圧の整流平滑手段としてダイオードＤ２及びコンデンサＣ２が設けられている。駆動回路１１０は、ＩＮ端子に入力された信号（ＣＰＵ１０１の端子Ｄ３から出力された信号）に基づき、ＦＥＴ３のＯＮ状態とＯＦＦ状態を切り替えるＦＥＴ３のゲート駆動信号、を生成する回路である。
【００７０】
起動回路１１１は３端子レギュレータ、若しくは、降圧型スイッチング電源であり、端子ＶＣと端子Ｇ間に入力された入力電圧Ｖｉｎから、ＯＵＴ端子に電源電圧Ｖ３を出力している。起動回路１１１は補助巻線Ｐ２から供給される電源電圧Ｖ３が所定の電圧値以下の場合のみ動作する回路であり、スイッチング電源部１３２の起動時に電源電圧Ｖ３を供給する。
【００７１】
フィードバック部１０９は、出力電圧Ｖ２を所定の一定電圧に制御する役割を有する。出力電圧Ｖ４の電圧値は、シャントレギュレータＩＣ９のリファレンス端子ＲＥＦの基準電圧、分圧抵抗Ｒ９４及び抵抗Ｒ９５によって設定される。そして、出力電圧Ｖ４の電圧が所定の電圧より高くなるとシャントレギュレータＩＣ９のカソード端子Ｋから電流が流れ、プルアップ抵抗Ｒ９２を介してフォトカプラＰＣ９の２次側発光ダイオードに通電される。その後フォトカプラＰＣ９の１次側フォトトランジスタが動作すると、コンデンサＣ９２から電荷を放電し、フィードバック電圧Ｖｆｂが低下する。また、出力電圧Ｖ４の電圧が所定の電圧より低くなると、電圧Ｖ１から抵抗Ｒ９１を介してコンデンサＣ９２に充電電流が流れるため、フィードバック電圧Ｖｆｂが上昇する。ＣＰＵ１０１は、端子ＡＤ３でフィードバック電圧Ｖｆｂを検知することで、出力電圧Ｖ４を所定の一定電圧に制御するためのフィードバック制御を行っている。ＣＰＵ１０１はフィードバック電圧に基づき、ＦＥＴ３のオン時間、オンＤｕｔｙ、オン回数のいずれかを制御することで、出力電圧Ｖ２の制御を行う。
【００７２】
レギュレータ１１３は３端子レギュレータ、若しくは、降圧型スイッチング電源であり、端子ＶＣと端子Ｇ間に入力された出力電圧Ｖ４から、ＯＵＴ端子に電源電圧Ｖ２を出力している。レギュレータ１１３は、ＣＰＵ１０２の動作に適した低電圧を生成する。
【００７３】
ところで、電源装置４００において、ＣＰＵ１０１がヒータＲＨ１の制御と、スイッチング電源部１３２の制御を兼ねることによる、二つのメリットについて説明する。
【００７４】
一つ目のメリットは、電源装置４００の安全性を高めることができる点にある。ＣＰＵ１０１の制御が停止した場合、スイッチング電源部１３２の制御も停止するため、リレーＲＬ１の電源電圧Ｖ１の供給、トライアックＴＲ１の電源電圧Ｖ２の供給を停止できる。そのため、制御部１１２の故障時に、ヒータＲＨ１への電力供給を遮断できる。
【００７５】
二つ目のメリットは、電源装置４００のコストを低減できる点にある。ＣＰＵ１０１は、マイクロコンピュータやＡＳＩＣなどの半導体集積回路である。このＣＰＵ１０１を構成する、演算部、メモリ、クロック、ＡＤコンバータ、リセット回路などのリソースを、ヒータＲＨ１の制御とスイッチング電源部１３２の制御で共用することができる。また、ブリッジダイオードＢＤ１、コンデンサＣ１、起動回路１１１、レギュレータ１０７についても、スイッチング電源部１３２と、ヒータＲＨ１の制御の両方に必要な回路であり、これらの回路を共有することで、電源装置４００のコストを抑制できる。
【００７６】
また、実施例４の電源装置４００では、画像形成装置１の全体の制御も行っている、高い演算能力を持ったＣＰＵ１０２がヒータＲＨ１の温度制御を行っている。このため、ＣＰＵ１０１は、サーミスタＴＨ１の温度検知と、リレーＲＬ１の制御と、スイッチング電源部１３２の制御のみを行えばよく、比較的に演算能力が小さい安価な演算制御部を用いることができる。
【００７７】
（実施例５）
図１０は実施例５の電源装置５００を示している。電源装置５００は、実施例２の電源装置２００に対して、１次側制御部であるＣＰＵ１０１が、スイッチング電源部１３２の制御部を兼ねる点で異なっている。更に、ＣＰＵ１０１とＣＰＵ１０２の双方向の通信手段として、情報通信部１０４ａと情報通信部１０４ｂを有している点、複数の１次側サーミスタＴＨ１、ＴＨ２を有する定着ユニット５０に対応している点で異なっている。更に、交流電源１０の電圧検知部１１４を有する点で異なっている。尚、実施例２と同様の構成については、同一の符号を用いて説明を省略する。スイッチング電源部１３２は電源装置４００と同様の構成のため説明を省略する。
【００７８】
ＣＰＵ１０１は複数の制御モードを切り替えて、スイッチング電源部１３２を制御している。スイッチング電源部１３２のＳｔａｎｂｙモードは、定着ユニット５０や画像形成装置１を動作するのに必要な大電力を出力可能な動作モードである。スイッチング電源部１３２のＳｌｅｅｐモードは、電源装置５００の消費電力を低減できる動作モードであり、ＦＥＴ３のスイッチング回数を低減させる、もしくは、出力電圧Ｖ４を低下させる制御を行っている。
【００７９】
電圧検知部１１４は、ダイオードＤ１２、ダイオードＤ１３で整流された電圧を、Ｒ１２とＲ１３で分圧することで、交流電源１０の電圧を検知する回路である。ＣＰＵ１０１は、交流電源１０の電圧Ｖａｃを、端子ＡＤ４で読み込むことで、交流電源１０の電圧情報（ピーク値、平均値、実効値の情報）を検知している。ＣＰＵ１０１は交流電源１０の電圧情報の検知結果に基づき、交流電源１０のゼロクロスタイミング（交流電源１０の電圧が０Ｖになるタイミング）の検知も行っている。ＣＰＵ１０１は、交流電源１０のゼロクロスタイミングに基づき、トライアックＴＲ１を制御することができる。ＣＰＵ１０１は、位相制御、若しくは、位相制御と波数制御を組み合わせた制御で、トライアックＴＲ１を制御することができ、ヒータＲＨ１の温度制御の応答性や、電力制御の分解能を高めることができる。ＳＷ１２は、交流電源１０の電圧情報を検知する必要がない期間の電源装置５００の消費電力を低減するためのスイッチであり、ＣＰＵ１０１で制御している。
【００８０】
情報通信部１０４ａは、ＣＰＵ１０１からＣＰＵ１０２へ情報を送信する回路であり、サーミスタＴＨ１、ＴＨ２の温度情報に加えて、交流電源１０の電圧Ｖａｃの送信を行っている。電源装置５００では、交流電源１０の異常時（交流電源１０の低電圧時や停電時等）にスイッチング電源部１３２を停止させる前に、ＣＰＵ１０２が画像形成装置１を停止する上で必要な処理を行うために、交流電源１０の電圧情報をＣＰＵ１０２に送信している。
【００８１】
情報通信部１０４ｂは、ＣＰＵ１０２からＣＰＵ１０１へ情報を送信する回路であり、ヒータＲＨ１の目標温度情報に加えて、スイッチング電源部１３２の動作モード情報、及び、後述する出力電圧Ｖ２のフィードバック情報の送信を行っている。ＣＰＵ１０１は、スイッチング電源部１３２の動作モード情報に基づき、ＳｔａｎｂｙモードとＳｌｅｅｐモードの切替え制御を行っている。
【００８２】
電源装置５００では、電源装置４００で説明したフィードバック部１０９の代わりに、情報通信部１０４ｂを利用している。ＣＰＵ１０２は、出力電圧Ｖ４を抵抗Ｒ８とＲ９で分圧した電圧Ｖｆｂ２を、端子ＡＤで検知することで、出力電圧Ｖ４を検知している。そして、情報通信部１０４ｂを介してＣＰＵ１０１に出力電圧Ｖ４のフィードバック情報の送信を行っている。
【００８３】
このように、情報通信部１０４ａ、１０４ｂはいずれも、時分割、若しくは、周波数分割することで、一つの通信ラインでスイッチング電源部１３２の制御に用いる情報の通信と、ヒータＲＨ１の制御に用いる情報の通信を行っている。
【００８４】
図１１はＣＰＵ１０１及びＣＰＵ１０２による判断、更には保護回路１０５ａの動作を加えた、実施例５の電源装置５００の動きを説明するためのフローチャートである。
【００８５】
電源装置１００が交流電源１０に接続され、交流電圧が電源装置１００に供給される状態になると、ＣＰＵ１０１はスイッチング電源部１３２のＦＥＴ３の制御を開始する。これにより、出力電圧Ｖ４の電圧値を上昇させる。レギュレータ１１３が動作し、ＣＰＵ１０２が動作可能になると、ＣＰＵ１０１及びＣＰＵ１０２を用いた制御を開始する。
【００８６】
Ｓ５１において、ＣＰＵ１０１は、ＣＰＵ１０２から情報通信部１０４ｂを介して送信された出力電圧Ｖ４のフィードバック情報に基づき、ＦＥＴ３の制御を行い、出力電圧Ｖ４のフィードバック制御を行う。スイッチング電源部１３２は初期の動作モードをＳｌｅｅｐモードとし、制御を開始する。
【００８７】
Ｓ５２において、ＣＰＵ１０２は、スイッチング電源部１３２の動作モードをＳｔａｎｂｙモードに切り替えるという情報を情報通信部１０４ｂを介してＣＰＵ１０１に送信する。
【００８８】
Ｓ５３において、ＣＰＵ１０１は、ＳＷ１２をＯＮ状態にして、交流電源１０の電圧Ｖａｃの情報を情報通信部１０４ａを介してＣＰＵ１０２に送信する。ＣＰＵ１０１は、スイッチング電源部１３２の動作モードをＳｌｅｅｐモードに移行するまで、ＣＰＵ１０２に電圧Ｖａｃの情報を繰り返し送信する状態を継続する。
【００８９】
Ｓ５４において、ＣＰＵ１０１とＣＰＵ１０２は、それぞれ、交流電源１０の電圧が、スイッチング電源部１３２がＳｔａｎｂｙモードに移行可能な、所定の電圧値以上か判断している。交流電源１０の電圧が所定の電圧値以上の場合には、Ｓ５５に進み、交流電源１０の電圧が所定の電圧値未満の場合には、Ｓ５４の判断を繰り返し行う。
【００９０】
Ｓ５５では、ＣＰＵ１０１は、スイッチング電源部１３２の動作モードを、大電力を出力できるＳｔａｎｂｙモードへ移行する。
【００９１】
また、ＣＰＵ１０１は、情報通信部１０４ａを用いて、ＣＰＵ１０２にサーミスタＴＨ１、ＴＨ２の温度情報の送信を開始する。ＣＰＵ１０１は、ヒータＲＨ１の温度制御を終了するまで、ＣＰＵ１０２にサーミスタＴＨ１、ＴＨ２の温度情報を繰り返し送信する状態を継続する。ＣＰＵ１０２はサーミスタＴＨ１、ＴＨ２の温度情報に基づき、定着ユニット５０が定着可能状態になるタイミングを判断している。
【００９２】
Ｓ５６において、ＣＰＵ１０２は、ＣＰＵ１０１から送信された、電源Ｖａｃの情報に基づき、交流電源１０の電圧が、スイッチング電源部１３２がスタンバイモードを維持可能な所定の電圧値以上かを判断している。交流電源１０の電圧が所定の電圧値以上の場合には、Ｓ１４に進み、交流電源１０の電圧が所定の電圧値未満の場合には、Ｓ５７に進む。
【００９３】
Ｓ５７において、ＣＰＵ１０２は、電源装置５００の停止シーケンスを行う。停止シーケンスでは、ＣＰＵ１０２の不図示の揮発メモリのデータを、不図示の不揮発メモリに退避する処理を行うことで、電源装置５００を再起動する際の不具合を防止することができる。ＣＰＵ１０２は、電圧Ｖａｃ情報を検知することで、スイッチング電源部１３２が出力電圧Ｖ４を継続できなくなる前に、交流電源１０の低電圧状態を検知し、Ｓ５７で説明した停止シーケンスを実行できる。
【００９４】
Ｓ５８において、ＣＰＵ１０１は、ＳＷ１２をＯＦＦ状態にする。また、スイッチング電源部１３２をＳｌｅｅｐモードにすることで、電源装置５００の消費電力を低減可能なモードに移行する。
【００９５】
尚、電圧検知部１１４を設けて、交流電源１０の情報（電圧情報、及びゼロクロスタイミング）を検知する方法は、電源装置１００、電源装置２００、電源装置３００、電源装置４００にも適用できる。
【００９６】
電源装置５００のように、１次側制御部と２次側制御部の間で、様々な情報の通信が必要な電源装置においても、情報通信部１０４ａ及び１０４ｂを種々の情報の通信部として共有することで、実施例３等と同様の効果がある。
【符号の説明】
【００９７】
１０  交流電源
ＲＨ１  ヒータ
ＴＨ１、ＴＨ２  サーミスタ
ＲＬ１  リレー
ＴＲ１  トライアック
ＣＰＵ１０１  １次側制御部
ＣＰＵ１０２  ２次側制御部
１０４ａ、１０４ｂ  情報通信部
１０５ａ、１０５ｂ  保護回路
１３２  スイッチング電源部
【図１】
2020071331.tif 000003
【図２】
2020071331.tif 000004
【図３】
2020071331.tif 000005
【図４】
2020071331.tif 000006
【図５】
2020071331.tif 000007
【図６】
2020071331.tif 000008
【図７】
2020071331.tif 000009
【図８】
2020071331.tif 000010
【図９】
2020071331.tif 000011
【図１０】
2020071331.tif 000012
【図１１】
2020071331.tif 000013